(57)【特許請求の範囲】
【請求項１】
表面の中央部に突起状の吐出手段を有する硬質材の蓋と、その蓋の裏面に周縁部を固着され折曲線の両側にポケット部を形成する可撓性部材からなる容器体からなる分配包装体において、表面の中央部にハーフカットを具備して前後方向に延びる折曲線が刻設されるとともに、その折曲線を跨いで折曲線を山頂として左右方向に延びる突起状の吐出手段をその表面に有する硬質の板材からなる蓋と、その蓋の裏面に周縁部を固着した可撓性部材からなる収容部を備え、折曲線の両側に山頂と裾野を持つ不等辺三角形の形状でその高さが前記突起状の吐出手段の山頂よりも高い高さの山形の保護用突起が折曲げ線を中心に山頂側を折曲げ線側とし対称位置に複数設けてあることを特徴とする分配包装体。
【請求項２】
表面に吐出手段を有する硬質材の蓋と、その蓋の裏面に周縁部を固着され大きさの異なる２つのポケット部を形成する可撓性部材からなる容器体からなる分配包装体において、表面の中央部にハーフカットを具備して前後方向に延びる折曲線が刻設されるとともに、その折曲線を跨いで折曲線を山頂として左右方向に延びる突起状の第１の吐出手段と折曲げ線の位置が前記突起状の第１の山頂位置と同じであり、山頂の高さも同じ高さの不等辺三角形の形状の第２の吐出手段をその表面に有する硬質の板材からなる蓋と、その蓋の裏面に周縁部を固着した可撓性部材からなる第１の吐出手段に対応する第１の収容部と第２の吐出手段に対応する第２の収容部を備え、折曲線の両側に前記突起状の第１の吐出手段の山頂よりも高い高さの複列の保護用突条帯を設けてあることを特徴とする分配包装体。
【発明の詳細な説明】
【技術分野】
【０００１】
本発明は、分配包装体に関し、とりわけ、片手で摘んで折曲げて開封することができる分配包装体に関する。
【背景技術】
【０００２】
従来、液体やペーストなどが充填され、片手で摘んで折曲げて簡単に開封できる分配包装体として、マヨネーズ、ドレッシング、焼売用として醤油とからしなどをはじめとして、多種多様の商品が販売されて利用されている。これら片手で摘んで折曲げて開封できる分配包装体は、厚手の樹脂板裏面の周囲に可撓性の収納部を備え、厚手の樹脂板の蓋部上面にはその厚み方向に未貫通の切れ目（ハーフカット）が設けられている。さらに厚手の樹脂板の切れ目上に突起を設けておくことにより、開口部の開口を確保することが出来る。そこで、これらの分配包装体から内容物を取り出す際には収納部をはさむように蓋部をＶ字状に折り曲げることによってハーフカットを破断させる。破断した箇所が開口部となり、該開口部から収納部に充填されていた内容物を簡単に取り出すことができることが提案されている。（たとえば、特許文献１、２参照）。
【０００３】
さらに、蓋の凸部にテコやばね応力を与える方策として突起部およびその周縁部を外周縁部より、一段低くへこませて成形することが提案されている（特許文献３参照）
【先行技術文献】
【特許文献】
【０００４】
【特許文献１】特開昭５９−１０３８６６
【特許文献２】特開昭６１−１０４９７３
【特許文献３】実開昭６３−６４６６６
【発明の概要】
【発明が解決しようとする課題】
【０００５】
しかしながら、かかる分配包装体を開封するために蓋部に形成されるハーフカットの深さは、輸送時、保管時はハーフカットが不用意に破壊されず、開封時には、蓋部を指で摘んでＶ字状に折り曲げることによってハーフカットが簡単に破断されるように決められる。さらに厚手の樹脂板の蓋部にハーフカットを成形した上で裾野が支点になるように山頂にハーフカットが重なるように突起を設けておくと、蓋部の樹脂板に設けられた接着樹脂層をも容易に開口させられるものである。さらに、開口部は山頂のＶ字開口が向い合い、菱形に開口できるものである。
【０００６】
しかし、決められたハーフカットの深さとしても、樹脂板に設けた突起は輸送時や取扱時に商品の突起がぶつかり、意図をしない時にハーフカットが破断されてしまい、内容物が漏れてしまうことがある。
【０００７】
この対策として、分配包装体を整列させて左右並びに上下から開口部の突起に意図しない力が加わらない専用の包装形態を用いることが考えられる。しかし、専用の包装形態を用いることは過剰な包装となり、包装にかかるコストを上昇させるとともに作業量が増加することになる。
【０００８】
そこで、本発明は、これらの問題点に鑑み、分配包装体の特徴である片手で摘んで折曲げて開封することができる分配包装体の突起を、過剰な包装に頼ることがなく保護することが出来る分配包装体を提供することを目的とする。
【課題を解決するための手段】
【０００９】
かかる目的を達成するために本発明の第１の構成は、表面の中央部に突起状の吐出手段を有する硬質材の蓋と、その蓋の裏面に周縁部を固着され折曲線の両側にポケット部を形成する可撓性部材からなる容器体からなる分配包装体において、表面の中央部にハーフカットを具備して前後方向に延びる折曲線が刻設されるとともに、その折曲線を跨いで折曲線を山頂として左右方向に延びる突起状の吐出手段をその表面に有する硬質の板材からなる蓋と、その蓋の裏面に周縁部を固着した可撓性部材からなる収容部を備え、折曲線の両側に前記突起状の山頂と略同じ高さの複列の保護用突条帯を設けてあることである。
【００１０】
本発明の第２の構成は、表面の中央部に突起状の吐出手段を有する硬質材の蓋と、その蓋の裏面に周縁部を固着され折曲線の両側にポケット部を形成する可撓性部材からなる容器体からなる分配包装体において、表面の中央部にハーフカットを具備して前後方向に延びる折曲線が刻設されるとともに、その折曲線を跨いで折曲線を山頂として左右方向に延びる突起状の吐出手段をその表面に有する硬質の板材からなる蓋と、その蓋の裏面に周縁部を固着した可撓性部材からなる収容部を備え、折曲線の両側に山頂と裾野を持つ不等辺三角形の形状でその高さが前記突起状の山頂と略同じ高さの山形の保護用突起が折曲げ線を中心に山頂側を折曲げ線側とし対称位置に複数設けてあることである。
【００１１】
本発明の第３の構成は、表面に吐出手段を有する硬質材の蓋と、その蓋の裏面に周縁部を固着され大きさの異なる２つのポケット部を形成する可撓性部材からなる容器体からなる分配包装体において、表面の中央部にハーフカットを具備して前後方向に延びる折曲線が刻設されるとともに、その折曲線を跨いで折曲線を山頂として左右方向に延びる突起状の第１の吐出手段と折曲げ線の位置が前記突起状の山頂位置と略同じであり、山頂の高さも略同じ高さの不等辺三角形の形状の第２の吐出手段をその表面に有する硬質の板材からなる蓋と、その蓋の裏面に周縁部を固着した可撓性部材からなる第１の吐出手段に対応する第１の収容部と第２の吐出手段に対応する第２の収容部を備え、折曲線の両側に前記突起状の山頂と略同じ高さの複列の保護用突条帯を設けてあることである。
【発明の効果】
【００１２】
本発明の第１の構成ならびに第２の構成にかかる分配包装体は吐出手段の突起と略同じ高さの複列の保護用突条帯或いは、不等辺三角形の形状の保護用突起が開口部の突起を保護するように配置した分配包装体としたことにより、吐出手段の突起が保護用突条帯又は保護用突起により意図しない力を分散して受け止めることができることにより開口部の破断を効果的に防止できる。
本発明の第３の構成によれば、大きさの異なる可撓性部材のポケットに異なる内容物を収納してある場合においてもそれぞれのポケットに対応する吐出手段の突起と略同じ高さの複列の保護用突条帯を配置することにより、吐出手段の突起が保護用突条帯により意図しない力を分散して受け止めることができることにより開口部の破断を効果的に防止できる。
【００１３】
さらに、本発明によれば、蓋部をＶ字状に折り曲げる際に蓋に設けた保護用の突条帯又は保護用の突起は折曲げ動作を邪魔しないだけでなく、蓋部をＶ字状に折り曲げる際に蓋の板厚を補強することができるのでさらに使いやすいものとできる。
【図面の簡単な説明】
【００１４】
【図１】図１は、本発明に係る第１の実施形態を説明する平面図と側面図である。
【図２】図２は、本発明に係る第２の実施形態を説明する平面図と側面図である。
【図３】図３は、本発明に係る第３の実施形態を説明する平面図と側面図である。
【図４】図４は、摘んで折り曲げた際の突起の尖端部が開口した吐出開口を説明する図である。
【発明を実施するための形態】
【００１５】
以下、本発明に係る好適な実施の形態について、図面を参照しながら説明する。
第１の実施形態及び第２の実施形態について、図１及び図２を参照すると、容器体１は蓋２と収納部分（ポケット）３からなり、収納部分（ポケット）３には内容物として流動物が収納されている。
【００１６】
蓋２はポリスチレンを主な材料とする硬質のシートと裏面に収容部分３と溶着できるポリエチレン層を含むフィルムが多層にラミネートされており、蓋２の表面の中央部には突起状の吐出手段としての突起５が設けられている。この突起５は蓋２上に設けられた折曲げ線４と山頂が交差して設けられている。蓋２を指で摘んで折り曲げると折曲げ線４に沿って突起５の尖端部５ａから破断が生じ、菱形の吐出開口５ｂが形成されるようにしてある。さらに蓋２の表面には折曲げ線４を対称軸として、高さが突起５と略同じである保護用突条帯９又は片側に裾野を有する不等辺三角形の形状の保護用突起７が直角方向に、言い換えれば突起５に平行に複数設けられている。これらの突起５、保護用突条帯９又は保護用突起７等の蓋の表面の加工の方法は硬質のシートを加熱して軟化させて、真空形成、プラグアシスト等の公知の方法で行なうことが出来る。また、蓋２の裏側はポリエチレンを主な材料とする多層のフィルムで可撓性の収納部分（ポケット）３が蓋２の周囲に溶着されて設けられている。収納部分（ポケット）３の中には内容物を充填できるようになっている。
【００１７】
分配包装体１は、以上の構成からなり、収納部分（ポケット）３に収納してある内容物の抽出にあたっては、蓋２を指間に挟み、蓋２の突起５の尖端部５ａを下に向け、左右のポケット３ａ、３ｂを挟みつけるように蓋２を折曲げ線４に沿って折曲げると、蓋２は折曲げ線４上の尖端部５ａのハーフカット部分から割れを生じ、吐出開口５ｂが成形される。その後、両ポケット３ａ、３ｂは押圧されその内容物は蓋２の尖端部５ａに向かって開口された吐出開口５ｂから内容物が抽出される。
【００１８】
この際、蓋２の表面には、折曲げ線４を対称軸として保護用突条帯９又は保護用突起７が直角方向に、言い換えれば突起５に平行に設けられているので、分配包装体１を指間に挟み蓋２をＶ字型に曲げても、蓋２は曲げ応力によって歪むことはなく、与えられた力は突起５に作用し尖端部５ａに対して効果的な破断力を加えることが出来る。
また、蓋２の表面に設けられている保護用突条帯９又は保護用突起７の高さが突起５と略同じ高さに設けられていることにより、突起５に上面から加わる意図しない力が複数の保護用突条帯９又は保護用突起７で分散されることになり、意図しない力で突起５のハーフカット部分が破断することが防止できものである。
【００１９】
第３の実施形態について、図３を参照すると、容器体１は、蓋２と大きさの異なる２つの収納部分（ポケット）３からなり、収納部分（ポケット）３には内容物として、例えば焼売用の醤油と芥子などの異なる流動物が収納されている。醤油用の大きな第１のポケットの蓋部２には第１の吐出手段として折曲げ線４を跨いで折曲げ線４を山頂として左右方向（折曲げ線と直角に交差する方向）に延びる突起５が設けられている。他方、芥子用の小さな第２のポケットの蓋部２には折曲げ線４の位置が、第１の吐出手段の突起５の山頂位置と略同じであり、山頂の高さも略同じ高さの片側に裾野を有する不等辺三角形の形状の第２の吐出手段の非対称突起８が設けられている。突起５を下方に向けて硬質材の蓋２をＶ字状に摘んで折曲げると折曲げ線４のハーフカットから２つの山頂部が裂開して吐出開口部が２つ形成される。さらにＶ字を折りたたむことにより内容物を取り出すことができる。
これら２つの突起５と非対称突起８は、蓋２の表面に設けられている保護用突条帯９の高さが突起５と非対称突起８略同じ高さに設けられていることにより、突起５に或いは非対称突起８に上面から加わる意図しない力が複数の保護用突条帯で分散されることになり、意図しない力で突起５のハーフカット部分が破断することが防止できものである。
【００２０】
保護用突条帯９又は保護用突起７の数や帯の長さは蓋２に形成する都合から開口部の突起５の幅を基本として容器の大きさに合わせて設計することが肝要である。
理由は、蓋に加工しているこれらの突起５、保護用突条帯９、非対称突起８又は保護用突起７等の蓋表面の加工の方法は硬質のシートを加熱して軟化させて、真空形成、プラグアシスト等の公知の方法で行なうことが出来るが、高さは開口用突起５と略同じであり、シートを軟化させて成形する関係から極端に狭くすると成形が出来なくなる恐れが生じる場合がある。また、全体のバランス（見た目）も重要なことから、蓋の大きさが７ｃｍ×５ｃｍ程度の大きさの場合、実施例を参考にすることが望ましい。
【００２１】
以上、本発明の好ましい実施例について詳述したが、本発明の要旨を逸脱しない範囲で各種変更が可能である。
【符号の説明】
【００２２】
１  分配包装体
２  蓋
３  収納部分（ポケット）
４  折曲げ線（ハーフカット）
５  突起（突起状の吐出手段）
５ａ  尖端部  
５ｂ  吐出開口  
６  補強用リブ
７  不等辺三角形の形状突起（保護用突起）
８  非対称突起（不等辺三角形の形状の吐出手段）
９  保護用突条帯
【図１】
0005901162.tif 000002
【図２】
0005901162.tif 000003
【図３】
0005901162.tif 000004
【図４】
0005901162.tif 000005